(57)【要約】      （修正有）【課題】バックプレートに安定的に固定されて、光射出の品質を維持するバックライトモジュール及び表示装置を提供する。【解決手段】表示装置は、バックライトモジュールと、表示パネルを含み、バックライトモジュールは、バックプレート１１０と、突出柱１２０と、導光板１３０と、固定部材１４０と、光源とを含む。突出柱１２０は、バックプレート１１０に設けられており、溝穴１２１を有する。導光板１３０は、バックプレート１１０に設けられ、且つ突出柱１２０に套設されている。導光板１３０は、光学面１３１を有する。固定部材１４０は、頭部１４１と、頭部１４１に接続される軸部１４２とを有する。軸部１４２は、溝穴１２１をインサートして、突出柱１２０に固定されており、頭部１４１は、導光板１３０の光学面１３１に当接される。光源は、導光板１３０に隣接して設けられている。【選択図】図２Ｂ
0003210103.tif 000002
【実用新案登録請求の範囲】
【請求項１】
バックプレートと、
前記バックプレートに設けられ、溝穴を有する、突出柱と、
前記バックプレートに設けられ、且つ前記突出柱に套設されており、光学面を有する、導光板と、
前記導光板の光学面に当接される頭部と、前記頭部に接続され、前記溝穴をインサートして、前記突出柱に固定される軸部とを有する、固定部材と、
前記導光板に隣接して設けられる、光源と、
を含む、バックライトモジュール。
【請求項２】
前記突出柱と前記バックプレートは、一体的に成形されている、
請求項１に記載のバックライトモジュール。
【請求項３】
前記突出柱は、前記バックプレートの底部に挿設されて固定される、
請求項１に記載のバックライトモジュール。
【請求項４】
前記バックプレートの底部は、凹部を有し、前記突出柱は、前記凹部に設けられている、
請求項１に記載のバックライトモジュール。
【請求項５】
前記バックプレートは、アーク状の底部を含み、
前記突出柱は、アーク状の前記底部の最低位置に設けられている、
請求項１に記載のバックライトモジュール。
【請求項６】
前記導光板と前記バックプレートとの間に設けられ、且つ前記突出柱に套設される反射シートを更に含む、
請求項１乃至５のいずれか１項に記載のバックライトモジュール。
【請求項７】
前記光源は、回路基板と、前記回路基板に設けられている複数の発光ユニットとを含み、
前記突出柱は、前記光源の近傍に設けられ、且つ対応する任意の隣接する二つの前記発光ユニットの間に位置する、
請求項１乃至６のいずれか１項に記載のバックライトモジュール。
【請求項８】
請求項１乃至７のいずれか１項に記載のバックライトモジュールと、
前記バックライトモジュールの前方に設けられている、表示パネルと、
を含む表示装置。
【考案の詳細な説明】
【技術分野】
【０００１】
本考案は、光源モジュールに関し、特に、バックライトモジュール及びそれを用いた表示装置に関する。
【背景技術】
【０００２】
液晶表示装置は、マッケティングのニーズに応じて、ますます多様化している。現在、広視野角を生成することができて、視覚効果を高めることができる曲面表示装置が開発されている。一般的な曲面表示装置は、バックライトモジュールと、バックライトモジュールの前方に設けられた表示パネルとを有する。バックライトモジュールは、主に、アーク状のバックプレートと、アーク状の光源と、フラット導光板とを有し、光源と導光板は、いずれもバックプレートに設けられている。
【０００３】
しかしながら、導光板は、バックプレートの曲率に適合するように、曲げてバックプレートに載せられるので、導光板が反ってバックプレートに完全に貼り付けることができず、バックライトモジュールは、後続のプラスチックフレームの装着を行うときに導光板が壊され、或いは光源が導光板に干渉され、導光板と光源に損傷を引き起こすことがある。
【０００４】
導光板が反るのを避けるために、通常、大面積のテープ等の接着部材で導光板を接着させる。しかしながら、大面積のテープは導光板の光学効果に著しい影響を与えており、且つ再処理する作業に不利である。
【考案の概要】
【０００５】
本考案は、バックライトモジュール及び表示装置を提供することを目的とし、バックライトモジュールと表示装置における導光板は、バックプレートに安定的に固定されて、バックライトモジュール及び表示装置の光出射の品質を維持する。
【０００６】
本考案の上記目的に基づき、バックライトモジュールを提供する。当該バックライトモジュールは、バックプレートと、突出柱と、導光板と、固定部材と、光源とを含む。突出柱は、バックプレートに設けられ、溝穴を有する。導光板は、バックプレートに設けられ、且つ突出柱に套設されている。導光板は、光学面を有する。固定部材は、頭部と、頭部に接続される軸部とを有する。軸部は、溝穴をインサートして、突出柱に固定されており、頭部は、導光板の光学面に当接されている。光源は、導光板に隣接して設けられている。
【０００７】
本考案の実施例によると、突出柱とバックプレートは、一体的に成形されている。
【０００８】
本考案の他の一つの実施例によると、突出柱は、バックプレートの底部に挿設されて固定されている。
【０００９】
本考案の更なる他の一つの実施例によると、バックプレートの底部は、凹部を有する。突出柱は、凹部に設けられている。
【００１０】
本考案の更なる他の一つの実施例によると、バックライトモジュールは、反射シートを更に含む。反射シートは、導光板とバックプレートとの間に設けられ、且つ突出柱に套設されている。
【００１１】
本考案の更なる他の一つの実施例によると、バックプレートは、アーク状の底部を含む。突出柱は、アーク状の底部の最低位置に設けられている。
【００１２】
本考案の更なる他の一つの実施例によると、光源は、回路基板と、回路基板に設けられている複数の発光ユニットとを含む。突出柱は、光源の近傍に設けられており、且つ対応する任意の隣接する二つの発光ユニットの間に位置している。
【００１３】
本考案の上記の目的に基づき、更に、表示装置を提供する。当該表示装置は、前記バックライトモジュールと、表示パネルとを含む。表示パネルは、バックライトモジュールの前方に設けられている。
【００１４】
上記のことから分かるように、本考案は、バックプレートに突出柱を設けてその上に導光板を套設し、固定部材を突出柱に挿設することにより、導光板を当接し固定させて、バックライトモジュールと表示装置の全体的な構造強度を向上させる。
【００１５】
一方、本考案において、導光板おける入射面に近い片側は、伝統的なテープ又は他の接着部材の代わりに突出柱及び固定部材を利用して固定するため、テープ又は他の接着部材によって導光板を接着し固定する必要がないので、テープの接着効果が良くなく又はテープの面積が大き過ぎて導光板の入射効果に影響を与えるのを避けることができる。また、本考案の突出柱及び固定部材は、隣接する二つの発光ユニットの間に設けられているため、突出柱及び固定部材の設置は、発光ユニットの光出射効果に影響を与えない。
【図面の簡単な説明】
【００１６】
実施例及びその利点をより良く理解するために、図面を参照し、且つ図面と組み合せて説明する。
【００１７】
【図１】本考案の第１の実施形態に係るバックライトモジュールの側面図である。
【図２Ａ】図１におけるＡ−Ａ線断面模式図である。
【図２Ｂ】図２ＡにおけるＡ部分の拡大模式図である。
【図３】本考案の第１の実施形態に係るバックライトモジュールの平面図である。
【図４】本考案の第２の実施形態に係るバックライトモジュールの部分断面図である。
【図５】本考案の第３の実施形態に係るバックライトモジュールの部分断面図である。
【図６】本考案の実施形態に係る表示装置の模式図である。
【考案を実施するための形態】
【００１８】
以下、実施例における方向に関する用語、例えば、「上」、「下」、「前」、「後」、「左」、「右」等は、図面における方向を参照しただけである。従って、方向に関する用語は、説明するために使用されており、本考案を限定するものではない。
【００１９】
図１及び図２Ａを同時に参照すると、図１は、本考案の第１の実施形態に係るバックライトモジュールの側面図であり、図２Ａは、図１におけるＡ−Ａ線断面模式図である。本考案の実施形態において、バックライトモジュール１００は、主に、バックプレート１１０と、突出柱１２０と、導光板１３０と、固定部材１４０と、光源１５０とを含む（図３を参照）。突出柱１２０は、バックプレート１１０に設けられている。導光板１３０は、バックプレート１１０に位置し、且つ突出柱１２０に套設されている。光源１５０は、導光板１３０に隣接して設けられ、導光板１３０へ入ることができる光線を提供する。
【００２０】
図２Ａ及び図２Ｂを参照すると、図２Ｂは、図２ＡにおけるＡ部分の拡大模式図である。本実施形態において、突出柱１２０は、溝穴１２１を有し、溝穴１２１は、固定部材１４０を設置するのに用いられる。図２Ｂに示すように、固定部材１４０は、頭部１４１と、頭部１４１に接続されている軸部１４２とを有する。軸部１４２は、溝穴１２１をインサートして突出柱１２０に固定されている。頭部１４１は、導光板１３０に当接されている。即ち、導光板１３０を突出柱１２０に套設した後に、突出柱１２０と軸部１４２との間に一定的な圧入力を持つように、固定部材１４０の軸部１４２を突出柱１２０に挿設し、固定部材１４０の頭部１４１を導光板１３０に当接させて、導光板１３０を固定する。
【００２１】
一例において、導光板１３０は、光学面１３１を有し、当該光学面１３１は、光出射面である。好ましい一例において、導光板１３０が突出柱１２０に套設されている場合、突出柱１２０の頂面は、導光板１３０の光学面１３１と面一になる。これにより、固定部材１４０が突出柱１２０に固定されるときに、固定部材１４０の頭部１４１は、突出柱１２０の頂面と導光板１３０の光学面１３１とに共に貼り付けられて、突出柱１２０の頂面および導光板１３０の光学面１３１を押さえ付けることで、導光板１３０を確実に固定させる効果を達成する。その他の実施例において、突出柱１２０の頂面は必ずしも導光板１３０の光学面１３１と面一になることではなく、許可された公差範囲内で、突出柱１２０の頂面は、導光板１３０の光学面１３１よりやや高い又はやや低くてもよい。本実施形態において、突出柱１２０の設計は、主に、固定部材１４０の軸部１４２が突出柱１２０に挿設されたときに十分な圧入力を有するようにすることである。
【００２２】
図１及び図２Ｂを同時に参照すると、本考案において、バックプレート１１０は、アーク状のバックプレートであり、バックプレート１１０の底部１１０ａは、アーク状である。そのため、導光板１３０をバックプレート１１０に載せる場合、導光板１３０は、バックプレート１１０の底部１１０ａのアーク状に沿って載せられる。従って、突出柱１２０をバックプレート１１０のアーク状の底部１１０ａの最低位置に設けて、固定部材１４０を利用して導光板１３０を固定することで、導光板１３０のアーク状の底部１１０ａの最低位置に位置する部分が反ることを避けることができる。一つの実施例において、バックライトモジュール１００は、反射シート１６０を更に含み、反射シート１６０は、導光板１３０の下方に設けられ、且つ突出柱１２０に套設されており、導光板１３０の底面から出射された光線を反射して導光板１３０に戻させる。
【００２３】
続いて、図１及び図２Ｂを参照すると、本実施例において、突出柱１２０は、バックプレート１１０に挿設されて固定される。一例において、バックプレート１１０は、凹部１１１を有し、突出柱１２０は、凹部１１１に設けられている。凹部１１１の設計は、主に、長さの長い突出柱１２０の設置を可能にすることで、導光板１３０が突出柱１２０に套設されるときの安定性を向上させるためである。
【００２４】
また、図１及び図３を同時に参照すると、図３は、本考案の第１の実施形態に係るバックライトモジュールの平面図である。本実施例において、光源１５０は、導光板１３０の入射面１３２に隣接して設けられている。光源１５０は、回路基板１５１と、回路基板１５１に設けられている複数の発光ユニット１５３とを含み、発光ユニット１５３は、回路基板１５１に電気的に接続されている。幾つかの例において、発光ユニット１５３は、発光ダイオードであってもよい。本実施例において、突出柱１２０及び固定部材１４０は、光源１５０の近傍に設けられており、対応する任意の隣接する二つの発光ユニット１５３の間に位置している。このように、固定部材１４０により、導光板１３０における光源１５０に近い片側を直接固定することにで、光源１５０によって生成された光線が導光板１３０に入る光学効果には影響を与えない。一方、突出柱１２０と固定部材１４０の設計により、テープ等の接着部材を省略することができるため、導光板１３０における入射面１３２に近い片側に対するテープ等の接着部材の光学効果への影響を避けることができる。
【００２５】
幾つかの例において、導光板１３０における入射面１３２から離れた片側は、光源１５０の光出射の光学効果に影響を与えないため、テープ等の接着部材を用いて、導光板１３０における入射面１３２から離れた片側をバックプレート１１０に直接固定することができる。その他の実施例において、固定部材１４０と突出柱１２０の設計を使用して、導光板１３０における入射面１３２から離れた片側をバックプレート１１０に固定する目的を達することができる。
【００２６】
上記実施例におけるバックプレート１１０が凹部１１１を有する設計は、本考案を限定するものではなく、その他の例において、バックプレートは異なる構造設計を有することができる。図４を参照すると、図４は本考案の第２の実施形態に係るバックライトモジュールの部分断面図である。図４に示すバックライトモジュール２００の構造と、図１乃至図４のバックライトモジュール１００の構造は大体同じであり、相違点は、バックライトモジュール２００のバックプレート２１０が凹部を有しない設計である。しかし、上記と同じ効果に得ることができるので、ここでは繰り返さないことにする。
【００２７】
なお、上記の実施例において、突出柱１２０がバックプレート１１０（或は、バックプレート２１０）に直接的に挿設されて固定される設計は、本考案を限定するものではなく、その他の例において、突出柱は、バックプレートとともに一体化成形されてもよい。図５を参照すると、図５は本考案の第３の実施形態に係るバックライトモジュールの部分断面図である。図５に示すバックライトモジュール３００の構造と図１乃至図４のバックライトモジュール１００の構造は大体同じであり、相違点は、バックライトモジュール３００のバックプレート３１０と突出柱３２０が一体化成形設計である。しかし、上記と同じ効果に得ることができるので、ここでは繰り返さないことにする。
【００２８】
また、図６を参照すると、図６は本考案の実施形態に係る表示装置の模式図である。本実施形態の表示装置４００は、図１に示すようなバックライトモジュール１００と、表示パネル４１０とを含む。図６に示すように、表示パネル４１０は、バックライトモジュール１００の前方に設けられており、バックライトモジュール１００を介して出射される光線は表示パネル４１０に入射されて、表示の目的を達成することができるので、ここでは繰り返さないことにする。本考案の実施例は、図１に示すバックプレート１１０を有するバックライトモジュール１００を表示装置４００に応用したのを例示的に説明しただけであり、本考案を限定するものではない。上記のその他の実施例のバックライトモジュール、例えば、バックライトモジュール２００とバックライトモジュール３００も表示装置に応用することができるし、同じ効果を得ることができる。
【００２９】
本考案の上記実施形態から分かるように、本考案は、バックプレートに突出柱を設けて導光板をそれに套設させたうえで、固定部材を突出柱に挿設することにより、導光板を当接し固定する。よって、バックライトモジュールと表示装置の全体的な構造強度を向上させる。
【００３０】
一方、本考案は、導光板における入射面に近い片側を、伝統的なテープ又は他の接着部材の代わりに、突出柱及び固定部材を利用して固定するため、テープ又は他の接着部材を使用して導光板を接着して固定する必要がないので、テープの接着効果が良くなく又はテープの面積が大き過ぎて導光板の入射効果に影響を与えるのを避けることができる。そして、本考案の突出柱及び固定部材は、隣接する二つの発光ユニットの間に設けられているため、突出柱及び固定部材の設置も、発光ユニットの発光効果に影響を与えない。
【００３１】
本考案は、実施形態を通じて上述したように開示されているが、本考案を限定するものではない。当業者は、本考案の要旨および範囲内で、各種の変更と修正を行うことができる。従って、本考案の保護範囲は、実用新案登録請求の範囲により限定されたものを基準とする。
【符号の説明】
【００３２】
１００  バックライトモジュール、
１１０  バックプレート、
１１１  凹部、
１１０ａ  底部、
１２０  突出柱、
１２１  溝穴、
１３０  導光板、
１３１  光学面、
１３２  入射面、
１４０  固定部材、
１４１  頭部、
１４２  軸部、
１５０  光源、
１５１  回路基板、
１５３  発光ユニット、
１６０  反射シート、
２００  バックライトモジュール、
２１０  バックプレート、
３００  バックライトモジュール、
３１０  バックプレート、
３２０  突出柱、
４００  表示装置、
４１０  表示パネル、
Ａ  拡大部。
【図１】
0003210103.tif 000003
【図２Ａ】
0003210103.tif 000004
【図２Ｂ】
0003210103.tif 000005
【図３】
0003210103.tif 000006
【図４】
0003210103.tif 000007
【図５】
0003210103.tif 000008
【図６】
0003210103.tif 000009